(57)【要約】無線通信環境において、ヒステリシス・アクティベーション・タイマを知的に設定するシステムおよび方法が記載される。本明細書に記載されたさまざまな態様によれば、アプリケーションが対応するデバイスとデータを交換しているか否かを決定するためのデータ・セッションを連続的にモニタし、ヒステリシス・アクティベーション・タイマがアクティブであるか否かを示すインジケーションをヒステリシス・アクティベーション・タイマから獲得し、ヒステリシス・アクティベーション・タイマを設定するために適切な新たなヒステリシス・アクティベーション・タイマ値を決定し、その後、この新たなヒステリシス・アクティベーション・タイマ値を用いてヒステリシス・アクティベーション・タイマを設定するシステムおよび／または方法が提供される。
2011523333.tif 000002
【特許請求の範囲】
【請求項１】
無線通信環境においてヒステリシス・アクティベーション・タイマを知的に設定する方法であって、
アプリケーションがデータを交換しているかを判定するためにデータ・セッションをモニタすることと、
前記ヒステリシス・アクティベーション・タイマがアクティブであるかを示すインジケーションを、前記ヒステリシス・アクティベーション・タイマから獲得することと、
前記インジケーションに少なくとも部分的に基づいて、新たなヒステリシス・アクティベーション・タイマ値を決定することと、
前記新たなヒステリシス・アクティベーション・タイマ値を用いて、前記ヒステリシス・アクティベーション・タイマを更新することと
を備える方法。
【請求項２】
前記更新することはさらに、現在のヒステリシス・アクティベーション・タイマ値を前記新たなヒステリシス・アクティベーション・タイマ値に交換した後に、前記ヒステリシス・アクティベーション・タイマを再起動することを備える請求項１に記載の方法。
【請求項３】
前記決定することはさらに、前記ヒステリシス・アクティベーション・タイマから現在のヒステリシス・アクティベーション・タイマ値を取得することを備える請求項１に記載の方法。
【請求項４】
前記新たなヒステリシス・アクティベーション・タイマ値は、前記現在のヒステリシス・アクティベーション・タイマ値に少なくとも部分的に基づく請求項３に記載の方法。
【請求項５】
前記決定することはさらに、前記新たなヒステリシス・アクティベーション・タイマ値を現在のヒステリシス・アクティベーション・タイマ値と比較し、前記現在のヒステリシス・アクティベーション・タイマ値を維持することを決定することを備える請求項１に記載の方法。
【請求項６】
前記獲得することに少なくとも部分的に基づいて、かつ、前記ヒステリシス・アクティベーション・タイマが非アクティブであると前記インジケーションが示す場合、前記新たなヒステリシス・アクティベーション・タイマ値を用いて前記ヒステリシス・アクティベーション・タイマを起動することをさらに備える請求項１に記載の方法。
【請求項７】
無線通信装置であって、
アプリケーションがデータを交換しているかを判定するためにデータ・セッションをモニタすることと、前記ヒステリシス・アクティベーション・タイマがアクティブであるかを示すインジケーションを、前記ヒステリシス・アクティベーション・タイマから獲得することと、前記インジケーションに少なくとも部分的に基づいて、新たなヒステリシス・アクティベーション・タイマ値を決定することと、前記新たなヒステリシス・アクティベーション・タイマ値を用いて、前記ヒステリシス・アクティベーション・タイマを更新することと、に関連する命令群を保持するメモリと、
前記メモリに接続され、前記メモリに保持された命令群を実行するように構成されたプロセッサと
を備える無線通信装置。
【請求項８】
前記更新することはさらに、現在のヒステリシス・アクティベーション・タイマ値を前記新たなヒステリシス・アクティベーション・タイマ値に交換した後に、前記ヒステリシス・アクティベーション・タイマを再起動することを備える請求項７に記載の無線通信装置。
【請求項９】
前記決定することはさらに、前記ヒステリシス・アクティベーション・タイマから現在のヒステリシス・アクティベーション・タイマ値を取得し、前記新たなヒステリシス・アクティベーション・タイマ値を確認するために前記現在のヒステリシス・アクティベーション・タイマ値を利用することを備える請求項７に記載の無線通信装置。
【請求項１０】
前記決定することはさらに、前記新たなヒステリシス・アクティベーション・タイマ値を現在のヒステリシス・アクティベーション・タイマ値と比較し、前記現在のヒステリシス・アクティベーション・タイマ値を維持することを決定することを備える請求項７に記載の無線通信装置。
【請求項１１】
前記ヒステリシス・アクティベーション・タイマが非アクティブであることを示すことを獲得することに少なくとも部分的に基づいて、前記新たなヒステリシス・アクティベーション・タイマ値を用いて前記ヒステリシス・アクティベーション・タイマを起動することをさらに備える請求項７に記載の無線通信装置。
【請求項１２】
無線通信環境においてヒステリシス・アクティベーション・タイマを知的に設定する無線通信装置であって、
送信手段と受信手段との間でデータ交換がなされているか否かを判定する手段と、
前記受信手段に関連付けられたヒステリシス・アクティベーション・タイマの現在のステータスをチェックする手段と、
新たなヒステリシス・アクティベーション・タイマ値を確認する手段と、
前記新たなヒステリシス・アクティベーション・タイマ値を用いて前記ヒステリシス・アクティベーション・タイマを更新する手段と
を備える無線通信装置。
【請求項１３】
前記更新する手段は、現在のヒステリシス・アクティベーション・タイマ値を前記新たなヒステリシス・アクティベーション・タイマ値に交換した後に、前記ヒステリシス・アクティベーション・タイマを再起動する請求項１２に記載の無線通信装置。
【請求項１４】
前記確認する手段は、前記新たなヒステリシス・アクティベーション・タイマ値を確認する前に、前記ヒステリシス・アクティベーション・タイマから現在のヒステリシス・アクティベーション・タイマ値を取得する請求項１２に記載の無線通信装置。
【請求項１５】
前記ヒステリシス・アクティベーション・タイマにおいてアクティブにされた前記ヒステリシス・アクティベーション・タイマ値が終了すると、前記受信手段は、ヒステリシス状態に入る請求項１２に記載の無線通信装置。
【請求項１６】
コンピュータ読取可能媒体を備えるコンピュータ・プログラム製品であって、
前記コンピュータ読取可能媒体は、
アプリケーションがデータを交換しているかを判定するためにデータ・セッションをモニタするためのコードと、
前記ヒステリシス・アクティベーション・タイマがアクティブであるかを示すインジケーションを、前記ヒステリシス・アクティベーション・タイマから獲得するためのコードと、
新たなヒステリシス・アクティベーション・タイマ値を決定するためのコードと、
前記新たなヒステリシス・アクティベーション・タイマ値を用いて、前記ヒステリシス・アクティベーション・タイマを設定するためのコードと
を備えるコンピュータ・プログラム製品。
【請求項１７】
前記コンピュータ読取可能媒体はさらに、現在のヒステリシス・アクティベーション・タイマ値を前記新たなヒステリシス・アクティベーション・タイマ値に交換した後に、前記ヒステリシス・アクティベーション・タイマを再起動するためのコードを備える請求項１６に記載のコンピュータ・プログラム製品。
【請求項１８】
前記コンピュータ読取可能媒体はさらに、前記ヒステリシス・アクティベーション・タイマから現在のヒステリシス・アクティベーション・タイマ値を取得するためのコードを備える請求項１６に記載のコンピュータ・プログラム製品。
【請求項１９】
前記コンピュータ読取可能媒体はさらに、前記新たなヒステリシス・アクティベーション・タイマ値を現在のヒステリシス・アクティベーション・タイマ値と比較し、前記現在のヒステリシス・アクティベーション・タイマ値を維持することを決定するためのコードを備える請求項１６に記載のコンピュータ・プログラム製品。
【請求項２０】
無線通信装置であって、
アプリケーションがデータを交換しているかを判定するためにデータ・セッションを連続的にモニタし、
前記ヒステリシス・アクティベーション・タイマがアクティブであるかを示すインジケーションを、前記ヒステリシス・アクティベーション・タイマから取得し、
新たなヒステリシス・アクティベーション・タイマ値を確認し、
前記新たなヒステリシス・アクティベーション・タイマ値を用いて、前記ヒステリシス・アクティベーション・タイマを再設定する
ように構成されたプロセッサ
を備える無線通信装置。
【請求項２１】
前記プロセッサはさらに、前記新たなヒステリシス・アクティベーション・タイマ値を現在のヒステリシス・アクティベーション・タイマ値と比較し、前記現在のヒステリシス・アクティベーション・タイマ値を維持することを決定するように構成された請求項２０に記載の無線通信装置。
【発明の詳細な説明】
【優先権主張】
【０００１】
本願は、本願の譲受人に譲渡され、本明細書において参照によって明確に組み込まれている２００８年６月１０日出願の“ＩＮＴＥＬＬＩＧＥＮＴ  ＳＥＴＴＩＮＧ  ＯＦ  ＨＹＳＴＥＲＥＳＩＳ  ＡＣＴＩＶＡＴＩＯＮ  ＴＩＭＥＲ  ＴＯ  ＥＮＴＥＲ  ＨＹＳＴＥＲＥＳＩＳ  ＳＯＯＮＥＲ  ＡＮＤ  ＳＡＶＥ  ＢＡＴＴＥＲＹ”と題された米国仮出願６１／０６０，２１３号の優先権を主張する。
【技術分野】
【０００２】
以下の記載は、一般に、無線通信に関し、さらに詳しくは、アクセス端末やモバイル・デバイスのようなデバイスが休止状態にあり、基地局との間でさらなるデータが交換されることが望ましくないと判定した場合、これらアクセス端末やモバイル・デバイスによって実行される動作に関連する方法およびシステムに関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のアクセス端末のための通信を同時にサポートすることができる。おのおののアクセス端末は、順方向リンクおよび逆方向リンクによる送信を介して、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システムによって確立される。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、相互原理によって、逆方向リンク・チャネルから順方向リンク・チャネルを推定できるように、順方向リンク送信および逆方向リンク送信が、同じ周波数領域にある。
【０００７】
無線通信システムはしばしば、有効通信範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効通信範囲領域内のアクセス端末は、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００８】
無線通信システムは、一般に、複数のパケット・ゾーンに分割される。ここで、モバイル・デバイスが、さまざまなゾーンを通過するので、無線ネットワークに関連付けられたシステムＩＤ（ＳＩＤ）パラメータ、ネットワークＩＤ（ＮＩＤ）パラメータ、またはパケット・ゾーンＩＤ（ＰＺＩＤ）パラメータにおける変化が検知された場合には常に、そのパケット・データ・サービスに再接続することが要求されうる。そして、一般に、ＣＤＭＡ２０００（登録商標）拡散スペクトル・システムにおける高速パケット・データ送信をサポートするために必要な要件を定義する３ＧＰＰ２規格“Ｄａｔａ  Ｓｅｒｖｉｃｅ  Ｏｐｔｉｏｎｓ  ｆｏｒ  Ｓｐｒｅａｄ  Ｓｐｅｃｔｒｕｍ  Ｓｙｓｔｅｍｓ：Ｓｅｒｖｉｃｅ  Ｏｐｔｉｏｎｓ  ３３  ａｎｄ  ６６”（例えば、３ＧＰＰ２  Ｃ．Ｓ００１７−０１２−Ａ、バージョン２．０）に準拠して、無線ネットワークが、いわゆる“Ｒ−Ｐ”インタフェース（Ａ１０およびＡ１１としても知られている）を、パケット・データ・サービスに関連付けられたパケット・データ・サービス提供ノード（ＰＤＳＮ）とラジオ・アクセス・ネットワーク（ＲＡＮ）との間で移動させる必要がある場合、あるいは、新たなＩＰアドレスをモバイル・デバイスに割り当てる必要がある場合、ＰＰＰ（ポイント・トゥ・ポイント）接続を維持するために、再接続処理が必要とされる。しかしながら、パケット・ゾーン変化が迅速かつ連続的である場合、そのような性急なおよび／またはコンスタントな再接続を行うために、過剰な量の処理リソースが不必要に使用され、それに相応して、モバイル・デバイスのバッテリ寿命も短くなる。前述した問題を回避するために、モバイル・デバイスは、ヒステリシス状態とされる。これによって、モバイル・デバイスは、複数のパケット・ゾーン間を移動している場合、および、関連付けられた基地局がモバイル・デバイスに対して、複数の訪問パケット・ゾーンを格納することを求めない場合、接続回数を低減できるようになる。一般に、モバイル・デバイスがヒステリシスに入る前の残り時間をモニタするヒステリシス・アクティベーション・タイマ（ＨＡＴ）を用いることによって、ヒステリシス状態に入ることができる。したがって、ヒステリシス・アクティベーション・タイマ（ＨＡＴ）をより小さな値に設定することによって、モバイル・デバイスはヒステリシス状態により迅速に入ることができるので、パケット・ゾーンが迅速に変化した場合の再接続の回避のみならず、エアによるメッセージングの節約が可能となる。
【０００９】
しかしながら、同時に動作しており基地局とデータを連続的に交換している複数のアプリケーションをモバイル・デバイスまたはアクセス端末が有している場合、コンフリクトが生じうる。このコンフリクトは、複数のアプリケーションが、交換するデータを有しておらず、ヒステリシス・アクティベーション・タイマ（ＨＡＴ）の制御（例えば、設定または再設定）を試み、その結果、ヒステリシス・アクティベーション・タイマ（ＨＡＴ）は、所望されない、あるいは、不正確な値が設定される場合に生じる。
【発明の概要】
【００１０】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１１】
権利主張される主題は、モバイル・デバイスが休止状態にあり、基地局とさらなるデータが交換されることが望ましくない場合に、モバイル・デバイスによって実行されうる動作に関連する。そのような１つの動作は、モバイル・デバイスのために、基地局と交換すべきデータが存在するかしないかに基づいて、ヒステリシス・アクティベーション・タイマ（ＨＡＴ）を、０秒から３０秒の間の値に設定することである。その後、ヒステリシス・アクティベーション・タイマ（ＨＡＴ）が終了すると、モバイル・デバイスは、ヒステリシス状態に移行し、ヒステリシス・タイマが起動する。デバイスをヒステリシス状態にすることによって、デバイスは、複数のパケット・ゾーンを移動している場合、および、基地局がデバイスに対して、複数の訪問パケット・ゾーンを格納することを求めない場合、接続回数を低減できるようになる。さらに、ヒステリシス・アクティベーション・タイマ（ＨＡＴ）が終了すると、ヒステリシス状態が始まる。ヒステリシス・アクティベーション・タイマ（ＨＡＴ）をより小さな値に設定することによって、一般に、デバイスは、より早くヒステリシス状態となり、もって、パケット・ゾーンが急激に変化した場合における再登録を回避することができる。さらに、デバイスをヒステリシス状態にすることによって、エアによるメッセージングの節約のみならず、デバイスのバッテリ寿命の節電にもなる。したがって、相互通信するさらなるデータがないことをデバイスが認識している場合、権利主張される主題の目的は、関連付けられたヒステリシス・アクティベーション・タイマを、許容可能な最低値に設定することである。これは、実行中のデータ交換が終了するときを識別し、その後、デバイスを迅速にヒステリシス状態にできるように、ヒステリシス・アクティベーション・タイマ（ＨＡＴ）を適切な値に設定できる機能を、データ交換中のアプリケーションに持たせることが必要であることを示唆する。１つの態様によれば、権利主張される主題によって、モバイル・デバイス上で実行しているすべてのアプリケーションが、交換するデータがないと認識した場合、ヒステリシス・アクティベーション・タイマ（ＨＡＴ）の値を適切に設定できるようになる。しかしながら、多くのアプリケーションが、ヒステリシス・アクティベーション・タイマ（ＨＡＴ）値の設定を同時に試みた場合、これは、望まれない接続をもたらすので、この単純な解決策は非現実的となりうる。したがって、さらなる態様によれば、権利主張される主題によって、アプリケーションは、ヒステリシス・アクティベーション・タイマ（ＨＡＴ）ステータスを確認し、その後、ヒステリシス・アクティベーション・タイマ（ＨＡＴ）をどの値に設定するかについて知的な決定を行うことができるようになる。これは、アプリケーションに対して、ヒステリシス・アクティベーション・タイマ（ＨＡＴ）が動作中であるか否かを知らせることによって、すなわち、（例えば、ヒステリシスス・アクティベーション・タイマ（ＨＡＴ）が動作している場合）ヒステリシス・アクティベーション・タイマ（ＨＡＴ）が終了するまでどれくらいの時間が残っているかを知らせることによって達成されうる。上記の情報に基づいて、アプリケーションは、ヒステリシス・アクティベーション・タイマ（ＨＡＴ）値を新たな値に設定または変更するか否かについて、知的な決定を行いうる。アプリケーションが適切なヒステリシス・アクティベーション・タイマ（ＨＡＴ）値を決定し、ヒステリシス・アクティベーション・タイマ（ＨＡＴ）を新たな値に設定すれば、モバイル・デバイスは、それにしたがって、すでに動作している場合には、ヒステリシス・アクティベーション・タイマ（ＨＡＴ）が停止および／または再起動する次回から有効になるようにヒステリシス・アクティベーション・タイマ（ＨＡＴ）を更新しうる。
【００１２】
本明細書に記載されたさまざまな態様によれば、権利主張される主題は、無線通信環境において、ヒステリシス・アクティベーション・タイマを知的に設定する方法を開示する。ここで、この方法は、アプリケーションがデータを交換しているか否かを判定するためにデータ・セッションをモニタすることと、ヒステリシス・アクティベーション・タイマがアクティブであるか否かに関するインジケーションを、ヒステリシス・アクティベーション・タイマから獲得することと、このインジケーションに少なくとも部分的に基づいて、新たなヒステリシス・アクティベーション・タイマ値を決定することと、その後、新たなヒステリシス・アクティベーション・タイマ値を用いてヒステリシス・アクティベーション・タイマを更新することとを含む。
【００１３】
さらなる態様によれば、権利主張される主題は、命令群を保持するメモリを含む。これら命令群は、アプリケーションがデータを交換しているかを判定するためにデータ・セッションをモニタすることと、ヒステリシス・アクティベーション・タイマがアクティブであるか否かを示すインジケーションを、ヒステリシス・アクティベーション・タイマから獲得することと、このインジケーションに少なくとも部分的に基づいて、新たなヒステリシス・アクティベーション・タイマ値を決定することと、その後、新たなヒステリシス・アクティベーション・タイマ値を用いてヒステリシス・アクティベーション・タイマを更新することとに関連する。それに加えて、この装置はまた、メモリに接続され、このメモリに保持された命令群を実行するように構成されたプロセッサをも含みうる。
【００１４】
さらに、権利主張される主題は、さらなる態様にしたがって、無線通信環境においてヒステリシス・アクティベーション・タイマを知的に設定する無線通信装置を開示する。この装置は、送信手段と受信手段との間でデータ交換がなされているか否かを判定する手段と、受信手段に関連付けられたヒステリシス・アクティベーション・タイマの現在のステータスをチェックする手段と、新たなヒステリシス・アクティベーション・タイマ値を確認する手段と、新たなヒステリシス・アクティベーション・タイマ値を用いてヒステリシス・アクティベーション・タイマを更新する手段とを含む。
【００１５】
さらに、さらなる態様によれば、権利主張される主題は、コンピュータ読取可能媒体を備えるコンピュータ・プログラム製品を開示する。このコンピュータ読取可能媒体は、アプリケーションがデータを交換しているかを判定するためにデータ・セッションをモニタするためのコードと、ヒステリシス・アクティベーション・タイマがアクティブであるかを示すインジケーションを、ヒステリシス・アクティベーション・タイマから獲得するためのコードと、新たなヒステリシス・アクティベーション・タイマ値を決定するためのコードと、新たなヒステリシス・アクティベーション・タイマ値を用いてヒステリシス・アクティベーション・タイマを更新するためのコードとを備える。
【００１６】
さらに、さらなる態様によれば、権利主張される主題は、プロセッサを備える無線通信装置を開示する。このプロセッサは、アプリケーションがデータを交換しているか否かを判定するためにデータ・セッションを連続的にモニタし、ヒステリシス・アクティベーション・タイマがアクティブであるか否かを示すインジケーションを、ヒステリシス・アクティベーション・タイマから取得し、新たなヒステリシス・アクティベーション・タイマ値を確認し、新たなヒステリシス・アクティベーション・タイマ値を用いてヒステリシス・アクティベーション・タイマを再設定するように構成される。
【００１７】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのような全ての局面およびそれらの均等物を示すことが意図されている。
【図面の簡単な説明】
【００１８】
【図１】図１は、本明細書に記載されたさまざまな態様にしたがう無線通信システムの実例である。
【図２】図２は、多くのユーザをサポートするように構成され、開示されたさまざまな実施形態および態様が実施されるさらなる無線通信システムの例示を提供する。
【図３】図３は、関連付けられたモバイル・デバイスあるいはアクセス端末のバッテリ寿命を節約するためにより迅速にヒステリシスに入ることができるように、ヒステリシス・アクティベーション・タイマを知的に設定するシステムの実例である。
【図４】図４は、関連付けられたモバイル・デバイスあるいはアクセス端末のバッテリ寿命を節約するためにより迅速にヒステリシス状態に入ることができるように、ヒステリシス・アクティベーション・タイマを知的に設定するシステムの実例である。
【図５】図５は、関連付けられたモバイル・デバイスあるいはアクセス端末のバッテリ寿命を節約するためにより迅速にヒステリシスに入ることができるように、ヒステリシス・アクティベーション・タイマを知的に設定する方法の実例である。
【図６】図６は、関連付けられたモバイル・デバイスあるいはアクセス端末のバッテリ寿命を節約するためにより迅速にヒステリシスに入ることができるように、ヒステリシス・アクティベーション・タイマを知的に設定するコール・フローの実例である。
【図７】図７は、関連付けられたモバイル・デバイスあるいはアクセス端末のバッテリ寿命を節約するためにより迅速にヒステリシスに入ることができるように、ヒステリシス・アクティベーション・タイマを知的に設定するアクセス端末の実例である。
【図８】図８は、本明細書で開示されたされたさまざまなシステムおよび方法と共に適用されうる無線ネットワーク環境の実例である。
【図９】図９は、関連付けられたモバイル・デバイスあるいはアクセス端末のバッテリ寿命を節約するためにより迅速にヒステリシスに入ることができるように、ヒステリシス・アクティベーション・タイマを知的に設定するシステムの実例である。
【発明を実施するための形態】
【００１９】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２０】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２１】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。
【００２２】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２３】
さらに、さまざまな実施形態は、本明細書において、アクセス端末に関して記載される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末と通信するために利用することができ、アクセス・ポイント、ノードＢ、イボルブド・ノードＢ（ｅＮｏｄｅＢ）、あるいはその他のいくつかの用語で称されうる。
【００２４】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他のマシン読取可能媒体を表すことができる。用語「マシン読取可能媒体」は、限定されることなく、無線チャネル、および、命令群および／またはデータを格納、包含、および／または搬送することができるその他任意の媒体を含みうる。
【００２５】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２つのアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２６】
基地局１０２は、アクセス端末１１６およびアクセス端末１２２のような１または複数アクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００２８】
図２は、多くのユーザをサポートするように構成され、開示されたさまざまな実施形態および態様が実施されるさらなる無線通信システム２００の例示を提供する。図２に示すように、一例として、システム２００は、例えばマクロ・セル２０２ａ−２０２ｇのような複数のセル２０２のための通信を提供する。ここで、おのおののセルは、対応するアクセス・ポイント（ＡＰ）２０４（例えば、ＡＰ２０４ａ−２０４ｇ）によってサービス提供される。セルはおのおのの、１または複数のセクタにさらに分割されうる。ユーザ機器（ＵＥ）または移動局としても知られており、ＡＴ２０６ａ−２０６ｋを含むさまざまなアクセス端末（ＡＴ）２０６が、システムの全体にわたって分散している。ＡＴ２０６はおのおのの、例えば、ＡＴがアクティブであるか、および、ソフト・ハンドオフにあるかに依存して、所与の瞬間において、順方向リンク（ＦＬ）および／または逆方向リンク（ＲＬ）によって、１または複数のＡＰ２０４と通信することができる。無線通信システム２００は、大きな地理的領域にわたってサービスを提供することができ、例えば、マクロ・セル２０２ａ−２０２ｇは、近隣の数ブロックをカバーすることができる。
【００２９】
まず、権利主張される主題の広範囲な説明を提供する前に、権利主張される主題は、ある事例および／または態様では、モバイル・デバイス、アクセス端末、アクセス・ポイント、基地局、フェムトセル、またはホーム・ノードＢ（ＨＮＢ）局に関して説明されるが、権利主張される主題は、拡張型アプリケーションを発見し、それらを、より広い無線通信インフラストラクチャ内で利用されうることが注目されるべきである。例えば、権利主張される主題は、等しく判別不能な効果および／または適用可能性を用いて、基地局および／またはアクセス端末内で利用されうる。
【００３０】
権利主張される主題を実現する概念は、アクセス端末またはモバイル・デバイスが休止状態にあり、基地局とさらなるデータが交換がなされることが望ましくない場合に、アクセス端末またはモバイル・デバイスによって実行されうる動作に関連する。特に、権利主張される主題によれば、アクセス端末またはモバイル・デバイスが、ヒステリシス・アクティベーション・タイマ（ＨＡＴ）によって指定された時間内で、基地局との間でさらなるデータ交換がなされることが望ましくないと判定した場合、このアクセス端末またはモバイル・デバイスは、ヒステリシス・アクティベーション・タイマ（ＨＡＴ）をゼロに設定しうる。それに加えて、および／または、その代わりに、権利主張される主題のさらなる態様によれば、ヒステリシス・アクティベーション・タイマ（ＨＡＴ）がアクティブであり、モバイル・デバイスまたはアクセス端末が、ヒステリシス・アクティベーション・タイマ（ＨＡＴ）の終了前に、対応する基地局との間でさらなるデータが交換されることを確認した場合、このモバイル・デバイスまたはアクセス端末は、ヒステリシス・アクティベーション・タイマ（ＨＡＴ）をキャンセルしうる。
【００３１】
権利主張される主題のさらなる態様によれば、アクセス端末またはモバイル・デバイスが休止状態になり（あるいは、まさに休止状態になろうとしており）、関連付けられた基地局との間でのさらなるデータ交換が望ましくないことを確認すると、モバイル・デバイスまたはアクセス端末は、ヒステリシス・アクティベーション・タイマ（ＨＡＴ）を、例えば、ゼロと３０との間の値に設定しうる。タイマが終了すると、アクセス端末またはモバイル・デバイスは、ヒステリシス状態に入る。この時点で、ヒステリシス・タイマが起動しうる。ヒステリシス状態によって、モバイル・デバイスまたはアクセス端末は、複数のパケット・ゾーンを移動している場合、および、関連付けられた基地局がモバイル・デバイスまたはアクセス端末に対して、複数の訪問パケット・ゾーンを格納することを求めない場合、接続回数を低減できるようになる。ヒステリシス・アクティベーション・タイマ（ＨＡＴ）が終了すると、ヒステリシス状態が始まる。したがって、ヒステリシス・アクティベーション・タイマ（ＨＡＴ）をより小さな値に設定することによって、アクセス端末またはモバイル・デバイスは、ヒステリシス状態となり、もって、パケット・ゾーンが迅速に変化した場合における再登録を回避し、エアによる不必要なメッセージングを削減することができる。アクセス端末またはモバイル・デバイスを、迅速にヒステリシス状態にすることによって、モバイル・デバイスまたはアクセス端末は、バッテリ寿命を顕著に延ばすことができる。
【００３２】
したがって、上記を考慮することによって、アクセス端末またはモバイル・デバイスが、さらに交換するデータが存在しないことを認識または確認した場合、権利主張される主題の目的は、ヒステリシス・アクティベーション・タイマ（ＨＡＴ）を許容可能な最低値に設定することである。これは、モバイル・デバイスまたはアクセス端末と、対応する基地局との間でデータを交換しているアプリケーションが、データ交換がいつ終了するかを判定するために必要な認識を行うことと、その後、モバイル・デバイスまたはアクセス端末を迅速にヒステリシス状態にするのに十分な低い値にヒステリシス・アクティベーション・タイマ（ＨＡＴ）を設定するために必要な洞察を行うことと、を必要とすることを意味する。
【００３３】
関連付けられたモバイル・デバイスまたはアクセス端末のバッテリ寿命を節約するために、ヒステリシスに迅速に入ることができるように、ヒステリシス・アクティベーション・タイマを知的に設定するシステム３００を図示する図３に移る。例示するように、システム３００は、アクセス端末またはモバイル・デバイス３０４（以降、「アクセス端末３０４」と称する）と連続的および／または動作的または散発的および／または断続的に通信している基地局３０２を含みうる。基地局とアクセス端末３０４それぞれの基本機能が、図１および図２に関連して上記のように説明されたので、これら機能のさらなる詳細な記載は、不必要な重複を避けるために、および、簡略化および簡潔化のために省略されている。それにもかかわらず、例示されるように、アクセス端末３０４は、関連付けられた基地局３０２と継続的にデータ交換を行う必要があるか否かを判定する、アクセス端末３０４で実行するアプリケーションのために必要な機能および能力を提供する実行エンジン３０６を含みうる。ここでは、現在、アプリケーションと基地局３０２との間でなされている実行中のデータ交換が存在する。実行エンジン３０６は、現在のデータ相互通信が停止または終了するときを確認し、その後、ヒステリシス・アクティベーション・タイマ３０８を、アクセス端末３０４を迅速にヒステリシス状態にするために十分な低い値に設定しうる。
【００３４】
実行エンジン３０６は、特に、アクセス端末３０４上で実行または動作しているアプリケーションへと機能および／または能力を提供するために、以下の方式で動作しうる。実行エンジン３０６は、データ・セッションがアクティブであるか否か、および、実行しているアプリケーションのおのおのが、例えば基地局３０２とデータ交換しているか否か、を判定するために、実行中のさまざまなアプリケーションによって伝送されるデータ・セッションをモニタしうる。さらに、実行エンジン３０６は、実行中のアプリケーションのおのおのが交換する必要のあるデータ量を確認し、さらには、交換されるべきデータ量に少なくとも部分的に基づいて、ヒステリシス・アクティベーション・タイマ３０８と通信し、ヒステリシス・アクティベーション・タイマ３０８の現在のステータスを取得する。実行エンジン３０６は、ヒステリシス・アクティベーション・タイマ３０８が動作していることを確認した場合には、さらに、ヒステリシス・アクティベーション・タイマ３０６において現在設定されている時間が終了する前の残り時間の値を得るために、ヒステリシス・アクティベーション・タイマ３０８に対して問い合わせを行う。実行エンジン３０６は、その後、例えば、実行中の各アプリケーションが交換しなければならないデータ量や、ヒステリシス・アクティベーション・タイマ３０８が終了する前の残りの時間長さのような要因に少なくとも部分的に基づいて、ヒステリシス・アクティベーション・タイマ３０８を設定するための適切な値を決定しうる。例えば、実行エンジン３０６は、上記要因に少なくとも部分的に基づいて、何の措置も講じないこと、また、ヒステリシス・アクティベーション・タイマ３０８が時間切れになりアクセス端末３０４をヒステリシス状態にする前の期間を長く、あるいは短くすることを決定しうる。実行エンジン３０６は、適切な措置が確認されると、適切な値を用いて、ヒステリシス・アクティベーション・タイマ３０８を更新または設定しうる。
【００３５】
ヒステリシス・アクティベーション・タイマ３０８に関し、この構成要素は、ハードウェア・タイマおよび／またはソフトウェア・タイマ（例えば、ハードウェアおよび／または実行中のソフトウェアの組み合わせとして実現されるタイマ）として実現されうる。したがって、ヒステリシス・アクティベーション・タイマ３０８は、例えばカウント・アップ・タイマ（例えば、値からカウント・アップすることによって、時間経過を示す）またはカウント・ダウン・タイマ（例えば、値からカウント・ダウンすることによって、時間経過を示す）のようなヒステリシス・アクティベーション・タイマの機能を提供するように構成された一般的な特別ではないハードウェア・タイマでありうる。さらに、ヒステリシス・アクティベーション・タイマ３０８は、ヒステリシス・アクティベーション・タイマの能力および／または機能を提供するために特別に製造あるいは個別化されたタイマでありうる。
【００３６】
実行エンジン３０６および／またはヒステリシス・アクティベーション・タイマ３０８は、その全体がハードウェアによって、および／または、ハードウェアと、実行中のソフトウェアとの組み合わせによって実現されうることが注目されるべきである。さらに、実行エンジンおよび／またはヒステリシス・アクティベーション・タイマ３０８は、その他の互換性のある構成要素内に組み込まれるか、および／または、関連付けられうる。それに加えて、実行エンジン３０６および／またはヒステリシス・アクティベーション・タイマ３０８は、限定される訳ではないが、プロセッサを含む任意のタイプのマシン、および／または、有線通信ネットワークおよび／または無線通信ネットワークとの有効な通信が可能な任意のタイプのマシンでありうる。
【００３７】
図４は、アクセス端末３０４の、特に、関連付けられたモバイル・デバイスまたはアクセス端末のバッテリ寿命を節約するために迅速にヒステリシス状態することができるように、ヒステリシス・アクティベーション・タイマ３０８を知的に設定する実行エンジン３０６のより詳細な例示を提供しており、例示するように、実行エンジン３０６は、アクティビティ・モニタ４０２を含みうる。アクティビティ・モニタ４０２は、データ・セッション・アクティビティを連続的および／または散発的にモニタし、および／または、アクセス端末３０４上で実行しており実行エンジン３０６によって提供される能力および／または機能を利用しているアプリケーションが、（例えば、基地局３０４、その他のアクセス端末などのような）対応するデバイスとデータを交換しているか否かを判定しうる。アクティビティ・モニタ４０２が、連続的および／または断続的なデータ・セッション・アクティビティが存在するかを判定し、および／または、アクセス端末３０４上で実行しており実行エンジン３０６によって提供される機能および／または能力を利用している１または複数のアプリケーションが、データを交換していることを確認している場合、アクティビティ・モニタ４０２は、１または複数のアプリケーションが、（例えば、基地局３０２やその他のアクセス端末のような）対応するデバイスと交換するさらなるデータを有さなくなるまで、あるいは、１または複数のアプリケーションが、対応するデバイスと交換される必要のあるデータ量が、完全ではないにせよ、終わりに近づいていることを示すインジケーションをアクティビティ・モニタ４０２に与える時間まで、そのようなアクティビティのモニタリングを継続しうる。
【００３８】
さらに例示するように、実行エンジン３０６はまた、ヒステリシス・アクティベーション・タイマ３０８の現在のステータスを定期的および／または連続的にチェックするステータス・モニタ４０４をも含みうる。ステータス・モニタ４０４によって返された結果に少なくとも部分的に基づいて、分析構成要素４０６は、ヒステリシス・アクティベーション・モニタ３０８が動作していないとステータス・モニタ４０４がレポートした場合、ヒステリシス・アクティベーション・タイマ３０８に設定すべき値を確認するために利用されうる。さらに、分析構成要素４０６はまた、ヒステリシス・アクティベーション・タイマ３０８が動作しているとステータス・モニタ４０４が示した場合、ヒステリシス・アクティベーション・タイマ３０８を再設定すべき新たな値を提供するために適用されうる。したがって、ステータス・モニタ４０４から受信あるいは導出された入力に少なくとも部分的に基づいて、分析構成要素４０６は、１つの事例において、ヒステリシス・アクティベーション・タイマ３０８が終了する前の、設定された残り時間の値を得るために、ヒステリシス・アクティベーション・タイマ３０８に対して問い合せを行い、その後、ヒステリシス・アクティベーション・タイマ３０８を再設定するための改訂された時間値を決定するために、設定された残り時間の値を利用する。あるいは、さらなる態様によれば、ヒステリシス・アクティベーション・タイマ３０８が今まで非アクティブであったとの、ステータス・モニタ４０４から受信または要求された通知に少なくとも部分的に基づいて、分析構成要素４０６が、ヒステリシス・アクティベーション・タイマ３０８を設定するための新たな値を確認しうる。
【００３９】
さらに、実行エンジン３０６は、分析構成要素４０６から受信された入力に少なくとも部分的に基づいて、ヒステリシス・アクティベーション・タイマ３０８がタイマとして利用する値の設定、再設定、または更新を行うか否かを決定しうる。したがって、分析構成要素４０６から受信した入力の１つのセットに基づいて、更新モジュール４０８によって、ヒステリシス・アクティベーション・タイマ３０８値の更新または再設定を行うか否かの決定がなされる。変更のない場合、ヒステリシス・アクティベーション・タイマ３０８値として、現在の値を残す。さらに、分析構成要素４０６から得られた入力の別のセットに基づいて、アクセス端末３０４上で動作しているアプリケーションがデータ交換を完了するためには現在の値は不適切である（例えば、この値によって定義された期間が長すぎるか、短かすぎる）との判定が、更新モジュール４０８によってなされうる。それゆえ、更新モジュール４０８は、動作しているアプリケーションに適応するためにヒステリシス・アクティベーション・タイマ３０８によって利用される値の設定、再設定、または更新を行いうる。
【００４０】
図５および図６を参照して、関連付けられたモバイル・デバイスまたはアクセス端末のバッテリ寿命を節約するために、迅速にヒステリシスにすることができるように、ヒステリシス・アクティベーション・タイマを知的に設定することに関する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００４１】
図５を参照して、関連付けられたモバイル・デバイスまたはアクセス端末のバッテリ寿命を節約するために、迅速にヒステリシスにすることができるように、ヒステリシス・アクティベーション・タイマを知的に設定する方法５００が例示されている。方法５００は５０２で始まり、ここでは、１または複数のアプリケーションがデータを交換しているか否か、および／または、データ・セッションが現在アクティブであるか否かが判定されうる。アクティブなデータ・セッションが存在すること、および／または、１または複数のアプリケーションがデータを交換しているものと５０２で確認された場合、方法５００は、これらアプリケーションがデータを交換しているか否か、および／または、アクティブなデータ・セッションが存在し続けるか否かのモニタを続ける。一方、データ・セッションが非アクティブになったこと、および／または、１または複数のアプリケーションが、（例えば基地局３０２のような）対応する基地局と交換すべきさらなるデータを持っていないこと（または、１または複数のアプリケーションが、交換されるべきデータ量が少ないこと、および／または、データ・セッションが間もなく終了することを示すこと）が５０２で確認された場合、方法５００は５０４に進み、ヒステリシス・アクティベーション・データのステータスが確認され、方法５００は５０６に進む。５０４において、ヒステリシス・アクティベーション・タイマが動作していないと判定された場合、５０６において、新たな適切なヒステリシス・アクティベーション・タイマ値が確認され、ヒステリシス・アクティベーション・タイマが、この値を用いて更新されうる。あるいは、５０４において、ヒステリシス・アクティベーション・タイマが動作していると判定された場合、５０６において、ヒステリシス・アクティベーション・タイマが終了する前の残り時間を取得するようにヒステリシス・アクティベーション・タイマに対して問い合せがなされ、ヒステリシス・アクティベーション・タイマから取得された残り時間の値に少なくとも部分的に基づいて、改訂された値が決定され、方法５００は動作５０８に進む。５０８では、この改訂された値を用いてヒステリシス・アクティベーション・タイマを更新する前に、方法５００は、この改訂され決定された値が、ヒステリシス・アクティベーション・タイマが終了する前の現在の残り時間のヒステリシス・アクティベーション・タイマから取得された以前の値に好ましいか否かを確認する。改訂された値が、以前に取得された値に好ましいと判定された場合、５０８において、この値を用いてヒステリシス・アクティベーション・タイマが更新されうる。あるいは、ヒステリシス・アクティベーション・タイマから取得された以前の値が、改訂され決定された新たな値に好ましいと判定された場合、何の動作を講じる必要もなく、ヒステリシス・アクティベーション・タイマは、（例えば、モバイル・デバイスをヒステリシス状態に迅速に移行させるような）目的を有効にするために、現在設定されている値を利用しうる。
【００４２】
図６は、例えば、（アクセス端末３０４のような）モバイル・デバイス上で動作しているアプリケーションと、改良型モバイル加入者ソフトウェア（ＡＭＳＳ）との間でなされるコール・フロー６００を例示する。図示するように、コール・フロー６００は、６０２で開始される。ここでは、進行中のデータ・セッションがアクティブであり、モバイル・デバイス上で動作しているアプリケーションが、基地局とデータを交換している。６０４では、権利主張された主題と協調し、実行エンジン３０６によって提供される能力および機能と連携して動作しているアプリケーションが、基地局と交換される必要のあるさらなるデータが存在しないと判定する。遠隔の基地局と、モバイル・デバイス上で動作しているアプリケーションとの間のデータ交換が終了したとの認識がなされると、６０６において、ヒステリシス・アクティベーション・タイマ（ＨＡＴ）ステータスが要求され、６０８において、適切な応答が受信される。６１０では、６０８で受信された応答（例えば、ヒステリシス・アクティベーション・タイマ（ＨＡＴ）が動作しているか否か）に少なくとも部分的に基づいて、ヒステリシス・アクティベーション・タイマの設定、再設定、または更新を行うための適切な値に関する判定がなされうる。６１２では、ヒステリシス・アクティベーション・タイマ（ＨＡＴ）の所望される新たな値が設定され、その後、６１４では、このヒステリシス・アクティベーション・タイマ値が、ヒステリシス・アクティベーション・タイマ（ＨＡＴ）に更新され、ヒステリシス・アクティベーション・タイマ（ＨＡＴ）が再起動される。限定することなく、また、一般性を失うことなく、６１２では、ヒステリシス・アクティベーション・タイマ（ＨＡＴ）値をさらに変える必要があるか否かに関する判定がなされうることが注目されるべきである。ヒステリシス・アクティベーション・タイマが現在動作している値が、決定された新たな値に好適であると確認された（例えば、動作６１０において確認された）場合、ヒステリシス・アクティベーション・タイマ（ＨＡＴ）の値を設定または更新するための動作を講じる必要はないので、その結果、ヒステリシス・アクティベーション・タイマ（ＨＡＴ）を再起動する必要はない。
【００４３】
本明細書で記載された１または複数の態様によれば、関連付けられたモバイル・デバイスまたはアクセス端末のバッテリ寿命を節約するために、迅速にヒステリシスにすることができるように、ヒステリシス・アクティベーション・タイマを知的に設定することについて推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づく対象となる状態にわたる確率分布の計算である。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００４４】
図７は、アクセス端末３０４のバッテリ寿命を節約するためにより迅速にヒステリシスにすることができるように、ヒステリシス・アクティベーション・タイマを知的に設定することを容易にするアクセス端末の実例７００である。アクセス端末３０４は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機７０２を備えうる。受信機７０２は、例えばＭＭＳＥ受信機であり、受信したシンボルを復調し、それらをチャネル推定のためにプロセッサ７０６へ送る復調器７０４を備えうる。プロセッサ７０６は、受信機７０２によって受信された情報の分析、および／または、送信機７１４による送信のための情報の生成に特化されたプロセッサ、アクセス端末３０４の１または複数の構成要素を制御するプロセッサ、および／または、受信機７０２によって受信された情報の分析と、送信機７１４による送信のための情報の生成と、アクセス端末３０４の１または複数の構成要素の制御との両方を行うプロセッサでありうる。
【００４５】
アクセス端末３０４は、プロセッサ７０６に動作可能に接続されたメモリ７０８をさらに備える。このメモリは、送信されるべきデータ、受信したデータ、および、本明細書に記載されたさまざまな動作および機能を実行することに関連するその他任意の適切な情報を格納しうる。例えば、メモリ７０８は、１または複数の基地局によって適用されるグループ特有のシグナリング制約を格納しうる。メモリ７０８は、さらに、リソース・ブロック割当を通信するために使用されるシグナリング制約を識別すること、および／または、受信した割当メッセージを分析するためにそのシグナリング制約を適用することとに関連付けられたプロトコルおよび／またはアルゴリズムを格納しうる。
【００４６】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７０８は、限定される訳ではないが、これらおよびその他任意の適切なタイプのメモリを備えることが意図される。
【００４７】
受信機７０２はさらに、図３の実行エンジン３０６に実質的に同じでありうる実行エンジン７１０に動作可能に接続されている。アクセス端末３０４はさらに、変調器７１２と、送信機７１４とを備える。送信機７１４は、例えば基地局や他の基地局等へ信号を送信する。プロセッサ７０６と別に示されているが、実行エンジン７１０および／または変調器７１２は、プロセッサ７０６または多くのプロセッサ（図示せず）の一部でありうることが理解されるべきである。
【００４８】
図８は、無線通信システム８００の例を示す。無線通信システム８００は、簡潔さの目的のため、１つの基地局８１０と１つのアクセス端末８５０しか示していない。しかしながら、システム８００は、１より多い基地局、および／または、１より多いアクセス端末を含みうることが認識されるべきである。ここで、追加の基地局および／またはアクセス端末は、以下に示す基地局８１０およびアクセス端末８５０の例と実質的に類似しうるか、あるいは、異なりうる。さらに、基地局８１０および／またはアクセス端末８５０は、その間の無線通信を容易にするために、本明細書に記載されたシステム（図１−４、図７および図９）および／または方法（図５−６）を適用しうることが理解されるべきである。
【００４９】
基地局８１０では、多くのデータ・ストリームのためのトラフィック・データが、データ・ソース８１２から送信（ＴＸ）データ・プロセッサ８１４へ提供される。一例によれば、おのおののデータ・ストリームが、それぞれのアンテナを介して送信される。ＴＸデータ・プロセッサ８１４は、トラフィック・データ・ストリームをフォーマットし、このデータ・ストリームのために選択された特定の符合化スキームに基づいて符号化し、インタリーブして、符合化されたデータを提供する。
【００５０】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末８５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ８３０によって実行または提供される指示によって決定されうる。
【００５１】
データ・ストリームの変調シンボルは、（例えば、ＯＦＤＭのために）変調シンボルを処理するＴＸ  ＭＩＭＯプロセッサ８２０に提供される。ＴＸ  ＭＩＭＯプロセッサ８２０はその後、ＮＴ個の変調シンボル・ストリームを、ＮＴ個の送信機（ＴＭＴＲ）８２２ａ乃至８２２ｔへ提供する。さまざまな実施形態において、ＴＸ  ＭＩＭＯプロセッサ８２０は、データ・ストリームのシンボル、および、そのシンボルが送信されるアンテナへ、ビームフォーミング重みを適用する。
【００５２】
おのおのの送信機８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機８２２ａ乃至８２２ｔからのＮＴ個の変調信号は、ＮＴ個のアンテナ８２４ａ乃至８２４ｔそれぞれから送信される。
【００５３】
アクセス端末８５０では、送信された変調信号が、ＮＲ個のアンテナ８５２ａ乃至８５２ｒによって受信され、受信された信号がおのおののアンテナ８５２からそれぞれの受信機（ＲＣＶＲ）８５４ａ乃至８５４ｒへ提供される。おのおのの受信機８５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００５４】
ＲＸデータ・プロセッサ８６０は、ＮＲ個の受信機８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ８６０は、検出されたおのおののシンボル・ストリームを復調し、デインタリーブし、復号して、そのデータ・ストリームのためのトラフィック・データを復元する。ＲＸデータ・プロセッサ８６０による処理は、基地局８１０におけるＴＸ  ＭＩＭＯプロセッサ８２０およびＴＸデータ・プロセッサ８１４によって実行されるものと相補的である。
【００５５】
プロセッサ８７０は、上述したように、利用可能などの技術を利用するのかを定期的に決定する。さらに、プロセッサ８７０は、行列インデクス部およびランク値部を備えた逆方向リンク・メッセージを規定することができる。
【００５６】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース８３６から受け取るＴＸデータ・プロセッサ８３８によって処理され、変調器８８０によって変調され、送信機８５４ａ乃至８５４ｒによって調整され、基地局８１０へ送り戻される。
【００５７】
基地局８１０では、アクセス端末８５０からの変調信号が、アンテナ８２４によって受信され、受信機８２２によって調整され、復調器８４０によって復調され、ＲＸデータ・プロセッサ８４２によって処理されることにより、アクセス端末８５０によって送信された逆方向リンク・メッセージが抽出される。さらに、プロセッサ８３０は、ビームフォーミング重みを決定するためにどの事前符合化行列を使用するかを決定するために、この抽出されたメッセージを処理する。
【００５８】
プロセッサ８３０およびプロセッサ８７０は、基地局８１０およびアクセス端末８５０それぞれにおける動作を指示（例えば、制御、調整、管理等）する。プロセッサ８３０およびプロセッサ８７０はそれぞれ、プログラム・コードおよびデータを格納するメモリ８３２およびメモリ８７２に関連付けられうる。プロセッサ８３０およびプロセッサ８７０はまた、アップリンクおよびダウンリンクそれぞれのための周波数およびインパルス応答推定値を導出する計算をも実行する。
【００５９】
態様では、論理チャネルが、制御チャネルとトラフィック・チャネルとに分類される。論理制御チャネルは、システム制御情報をブロードキャキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００６０】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００６１】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００６２】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００６３】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００６４】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６５】
図９に移って、無線通信環境において、関連付けられたモバイル・デバイスあるいはアクセス端末のバッテリ寿命を節約するためにより迅速にヒステリシスにすることができるように、ヒステリシス・アクティベーション・タイマを知的に設定するシステム９００が例示される。システム９００は、例えば、アクセス端末内に存在することができる。図示するように、システム９００は、プロセッサ、ソフトウェア、または（例えば、ファームウェアのような）これらの組み合わせによって実現される機能を表しうる。システム９００は、連携して動作しうる電子構成要素の論理グループ９０２を含む。論理グループ９０２は、アプリケーションがデータを交換しているか否かを判定するための電子構成要素９０４を含みうる。さらに、論理グループ９０２は、ヒステリシス・アクティベーション・タイマのステータスを確認するための電子構成要素９０６を含みうる。さらに、論理グループ９０２は、ヒステリシス・アクティベーション・タイマを設定するための適切な値を決定するための電子構成要素９０８を含みうる。さらに、論理グループ９０２は、適切な値を用いてヒステリシス・アクティベーション・タイマを更新するための電子構成要素９１０を含みうる。さらに、システム９００は、電子構成要素９０４、９０６、９０８、９１０に関連付けられた機能を実行するための命令群を保持するメモリ９１２を含みうる。メモリ９１２の外部にあるとして示されているが、電子構成要素９０４、９０６、９０８、９１０は、メモリ９１２の内部に存在しうることが理解されるべきである。
【００６６】
上述したものは、１または複数の実施形態のうちの一例を含む。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2011523333.tif 000003
【図２】
2011523333.tif 000004
【図３】
2011523333.tif 000005
【図４】
2011523333.tif 000006
【図５】
2011523333.tif 000007
【図６】
2011523333.tif 000008
【図７】
2011523333.tif 000009
【図８】
2011523333.tif 000010
【図９】
2011523333.tif 000011
【国際調査報告】
2011523333.tif 000012
2011523333.tif 000013
2011523333.tif 000014